(57)【特許請求の範囲】
【請求項１】
光ファイバ（２、５８）同士の突き合わせ接続部を２つの素子（５２ａ、５２ｂ）に挟み込んでクランプ固定する光ファイバ接続器（５０）を用いた光ファイバ同士の接続作業に利用される光ファイバ挿入治具であって、
前記光ファイバのうち一方（２）を保持する光ファイバホルダ（３）と、この光ファイバホルダおよび前記光ファイバ接続器を支持する支持台（４）とを有し、
前記支持台が、前記光ファイバホルダを前記光ファイバ接続器に対し接近および離間する方向にスライド移動させるガイド部（２１）と、前記光ファイバ接続器を支持する接続器支持部（２２）とを備え、
前記ガイド部が、前記光ファイバホルダのスライド移動によって、前記光ファイバ（２）を光ファイバ接続器から離れた離間位置（Ｐ２）から、前記突き合わせ接続が可能な接近位置（Ｐ１）に案内することができ、
この支持台は、前記光ファイバ（２）先端を加工する光ファイバ先端加工機（７０、８０）の光ファイバホルダ移動台（７２、８２）に設置可能とされ、
前記支持台を前記光ファイバホルダ移動台上に置いた状態で、前記ガイド部内で前記光ファイバホルダをスライド移動させることによって、前記光ファイバ（２）の先端加工、または先端加工のための位置決めが可能となることを特徴とする光ファイバ挿入治具（１）。
【請求項２】
前記光ファイバ先端加工機は、被覆除去機または光ファイバ切断機であり、
前記被覆除去機が、前記光ファイバ（２）の被覆（２ｂ）を除去する被覆用カッタ（７１）と、前記光ファイバホルダを前記被覆用カッタに対し接近および離間する方向にスライド移動可能に支持する前記光ファイバホルダ移動台（７２）とを備えており、
前記光ファイバ切断機が、前記光ファイバ（２ａ）を切断する切断部（８１）と、前記光ファイバホルダを前記切断部に対し接近および離間する方向にスライド移動可能に支持する前記光ファイバホルダ移動台（８２）とを備えていることを特徴とする請求項１に記載の光ファイバ挿入治具。
【請求項３】
前記ガイド部は、前記接近位置において前記光ファイバホルダが当接し位置決めされる当接壁（２５）を有することを特徴とする請求項１または２に記載の光ファイバ挿入治具。
【請求項４】
前記ガイド部は、前記光ファイバ接続器に対し接近および離間する方向に延出する側壁（２４）に沿ってスライド移動可能であり、
前記側壁に、前記接近位置における前記光ファイバホルダの位置を表示する位置表示突起（２８）が形成されていることを特徴とする請求項１〜３のうちいずれか１項に記載の光ファイバ挿入治具。
【請求項５】
前記ガイド部には、前記接近位置にある光ファイバホルダが、前記ガイド部から外れる方向に移動するのを阻止する押さえ板部（２７）が形成されていることを特徴とする請求項１〜４のうちいずれか１項に記載の光ファイバ挿入治具。
【発明の詳細な説明】
【技術分野】
【０００１】
本発明は、光ファイバ接続器を用いて光ファイバ同士の接続作業を行うための光ファイバ挿入治具に関する。
【背景技術】
【０００２】
従来、光コネクタなどの光ファイバ接続器を用いて、現場で光ファイバ同士の接続作業を行うための光ファイバ挿入治具が用いられている（例えば、特許文献１参照）。
図１４は、光ファイバ挿入治具の一例を示すもので、この光ファイバ挿入治具１００は、光ファイバ２を保持する光ファイバホルダ９０と、光ファイバホルダ９０をスライド移動可能に支持する光ファイバホルダ移動台９４とを備えている。光ファイバホルダ９０は、光ファイバ２を蓋体９２でベース部９１に押さえ込んで把持固定するようになっている。
光ファイバ挿入治具１００を用いて、光コネクタ５０（光ファイバ接続器）内の光ファイバ５８に光ファイバ２を接続するには、光コネクタ５０を光ファイバホルダ移動台９４の接続器支持部９５に支持させた状態で、光ファイバホルダ９０を、光ファイバホルダ移動台９４上で光コネクタ５０に向かってスライド移動させる。
これによって、光ファイバ２の先端部の裸ファイバ２ａを、光コネクタ５０に挿入し、光ファイバ５８と突き合わせ接続させる。
【０００３】
上記接続作業を行うには、これに先だって光ファイバ２の先端加工、すなわち先端部に所定長さの裸ファイバ２ａを露出させることが必要となる。この先端加工の手順の一例を説明する。
図１５（ａ）に示すように、光ファイバ２を光ファイバホルダ９０に保持させる。
次いで、図１５（ｂ）に示すように、光ファイバホルダ９０を保持部９３に保持させ、この保持部９３を、被覆除去機７０の光ファイバホルダ移動台７２に載せ、突出部７４に当接させて位置決めする。
光ファイバ２の先端部の被覆２ｂを被覆用カッタ７１で保持し、保持部９３を光ファイバホルダ移動台７２上で離間方向（図１５（ｂ）の右方向）にスライド移動させることによって、この先端部の被覆２ｂを除去し、裸ファイバ２ａを露出させる。
次いで、図１５（ｃ）に示すように、保持部９３を、被覆除去機７０の光ファイバホルダ移動台７２から、光ファイバ切断機８０の光ファイバホルダ移動台８２に移し替え、突出部８４に当接させて位置決めし、光ファイバ２の裸ファイバ２ａを、押し当て部８６で切断用カッタ８５に押し当てて切断する。
これによって、光コネクタ５０での接続に適した長さの裸ファイバ２ａを先端部に有する光ファイバ２が得られる。
この光ファイバ２を、上述の接続作業に供するには、光ファイバホルダ９０を保持部９３から取り出し、光ファイバ挿入治具１００に移し替えることが必要となる。
【特許文献１】特開２００２−２３００６号公報
【発明の開示】
【発明が解決しようとする課題】
【０００４】
光ファイバ挿入治具１００では、光ファイバ２の先端加工に続いて光コネクタ５０での接続を行う際に光ファイバホルダ９０の移し替えが必要となるため、作業に手間がかかる点で改善が要望されていた。
また、突き合わせ接続の精度を高めるには、光ファイバ２を光ファイバ５８に適切な突き当て力で突き当てることが必要となる。このため、接続作業においては、光ファイバ２の位置を正確に定める必要がある。
本発明は、このような事情に鑑みなされたものであって、作業性に優れ、かつ精度の高い接続を実現できる光ファイバ挿入治具を提供することを目的とする。
【課題を解決するための手段】
【０００５】
本発明の請求項１にかかる光ファイバ挿入治具は、光ファイバ同士の突き合わせ接続部を２つの素子に挟み込んでクランプ固定する光ファイバ接続器を用いた光ファイバ同士の接続作業に利用される光ファイバ挿入治具であって、前記光ファイバのうち一方を保持する光ファイバホルダと、この光ファイバホルダおよび前記光ファイバ接続器を支持する支持台とを有し、前記支持台が、前記光ファイバホルダを前記光ファイバ接続器に対し接近および離間する方向にスライド移動させるガイド部と、前記光ファイバ接続器を支持する接続器支持部とを備え、前記ガイド部が、前記光ファイバホルダのスライド移動によって、前記光ファイバを光ファイバ接続器から離れた離間位置から、前記突き合わせ接続が可能な接近位置に案内することができ、この支持台は、前記光ファイバ先端を加工する光ファイバ先端加工機の光ファイバホルダ移動台に設置可能とされ、前記支持台を前記光ファイバホルダ移動台上に置いた状態で、前記ガイド部内で前記光ファイバホルダをスライド移動させることによって、前記光ファイバの先端加工、または先端加工のための位置決めが可能となることを特徴とする。
本発明の請求項２にかかる光ファイバ挿入治具は、請求項１において、前記光ファイバ先端加工機が、被覆除去機または光ファイバ切断機であり、前記被覆除去機が、前記光ファイバの被覆を除去する被覆用カッタと、前記光ファイバホルダを前記被覆用カッタに対し接近および離間する方向にスライド移動可能に支持する前記光ファイバホルダ移動台とを備えており、前記光ファイバ切断機が、前記光ファイバを切断する切断部と、前記光ファイバホルダを前記切断部に対し接近および離間する方向にスライド移動可能に支持する前記光ファイバホルダ移動台とを備えていることを特徴とする。
本発明の請求項３にかかる光ファイバ挿入治具は、請求項１または２において、前記ガイド部が、前記接近位置において前記光ファイバホルダが当接し位置決めされる当接壁を有することを特徴とする。
本発明の請求項４にかかる光ファイバ挿入治具は、請求項１〜３のうちいずれか１項において、前記ガイド部が、前記光ファイバ接続器に対し接近および離間する方向に延出する側壁に沿ってスライド移動可能であり、前記側壁に、前記接近位置における前記光ファイバホルダの位置を表示する位置表示突起が形成されていることを特徴とする。
本発明の請求項４にかかる光ファイバ挿入治具は、請求項１〜４のうちいずれか１項において、前記ガイド部に、前記接近位置にある光ファイバホルダが、前記ガイド部から外れる方向に移動するのを阻止する押さえ板部が形成されていることを特徴とする。
【発明の効果】
【０００６】
本発明の光ファイバ挿入治具は、光ファイバを保持する光ファイバホルダと、光ファイバホルダを支持する支持台とを備え、この支持台が、光ファイバ先端加工機の光ファイバホルダ移動台に設置可能に構成されているので、光ファイバホルダを支持台のガイド部内に入れたままの状態で、光ファイバの先端加工および光ファイバ接続器での突き合わせ接続が可能となる。
従って、先端加工から突き合わせ接続に至る過程で光ファイバホルダの移し替えが必要な光ファイバ挿入治具に比べ、操作が容易となる。
また、先端加工から突き合わせ接続までの各操作を、いずれも光ファイバホルダのガイド部内でのスライド移動によって実現できるため、各操作における光ファイバホルダの位置決めを正確に行うことができる。
従って、各操作において精度の高い作業が可能となり、光ファイバの突き合わせ接続において、適切な突き当て力が得られ、損失の少ない接続が実現できる。
【発明を実施するための最良の形態】
【０００７】
図１〜図３は、本発明の光ファイバ挿入治具の一例を示すものである。図１は、光ファイバ挿入治具１を示す斜視図であって、光ファイバホルダ３を支持台４から取り外した状態を示す。図２は、光ファイバホルダ３を示す斜視図である。図３は、光ファイバホルダ３を支持台４に装着した状態を示す斜視図である。
以下の説明において、図１における光ファイバ２の先端方向を前方といい、その反対方向を後方ということがある。
【０００８】
図１および図２に示すように、光ファイバ挿入治具１は、光ファイバ２を保持する光ファイバホルダ３と、光ファイバホルダ３を支持する支持台４とを備えている。
光ファイバホルダ３は、板状のベース部１１と、板状の蓋体１２とを有し、ベース部１１上の光ファイバ２を、蓋体１２によってベース部１１に押さえ込んで把持固定するようになっている。
【０００９】
ベース部１１は、合成樹脂、金属などで構成され、図示例では略長方形の板状とされている。
ベース部１１の上面には、光ファイバ２を保持する位置決め溝１３が、ベース部１１の長手方向に沿って直線状に形成されている。図示例の位置決め溝１３は、断面略Ｖ字状とされているが、その断面形状は図示例に限定されない。
蓋体１２は、一側部に設けられたヒンジ１４を介して回動自在にベース部１１に連結されている。蓋体１２の他側部の前部には、略矩形の切欠１５が形成されており、この部分のベース部１１の上面が露出している。
【００１０】
図１および図３に示すように、支持台４は、光ファイバホルダ３をスライド移動可能に支持するガイド部２１と、ガイド部２１の前部に設けられて光コネクタ５０を支持する接続器支持部２２とを有する。
ガイド部２１は、略矩形の平板状の基板２３と、基板２３の側縁から立設された側壁２４、２４と、基板２３の前端縁から立設された前端壁２５（当接壁）と、基板２３の後端縁から立設された後端壁２６と、一方の側壁２４の前部に形成された押さえ板部２７とを備えている。
【００１１】
側壁２４、２４は、互いに平行に形成され、その間隔は、光ファイバホルダ３の幅より若干大きくされている。
側壁２４、２４の内面には、位置表示突起２８が形成されている。位置表示突起２８は、ガイド部２１内における光ファイバホルダ３の位置確認のためのもので、前方突起２８ａと、その後方にわずかに間隔をおいて形成された後方突起２８ｂとからなる。
【００１２】
前方突起２８ａおよび後方突起２８ｂは、側壁２４の内面から、これに対向する側壁２４に向かって突出しており、側壁２４の下縁から上縁にかけて、基板２３にほぼ垂直に形成されている。
前方突起２８ａは、光ファイバホルダ３がガイド部２１内で前方位置Ｐ１（図３参照）にあるときに、光ファイバホルダ３の後端部に当接または近接する位置に形成するのが好ましい。前方突起２８ａは、前方位置Ｐ１にある光ファイバホルダ３に係止して後方移動を阻止できるように形成するのが好ましい。
後方突起２８ｂは、光ファイバホルダ３がガイド部２１内で後方位置Ｐ２（図４参照）にあるときに、光ファイバホルダ３の前端部に当接または近接する位置に形成するのが好ましい。
【００１３】
前端壁２５および後端壁２６には、それぞれ光ファイバ２が挿通する挿通凹部２５ａ、２６ａが形成されている。
側壁２４および端壁２５、２６によって囲まれた空間は、光ファイバホルダ３が光コネクタ５０に対し接近および離間する方向にスライド移動する移動空間２９となっている。
前方位置Ｐ１（図３参照）は、光ファイバホルダ３が前端壁２５に当接する位置であり、光ファイバホルダ３が光コネクタ５０にもっとも接近する位置（接近位置）である。後方位置Ｐ２（図４参照）は、光ファイバホルダ３が光コネクタ５０からもっとも離間する位置（離間位置）である。
【００１４】
押さえ板部２７は、光ファイバホルダ３がガイド部２１から外れる方向、すなわち上方に移動するのを阻止するものであって、一方の側壁２４の前部の上縁から他方側に向けて、基板２３にほぼ平行に延出している。
押さえ板部２７は、光ファイバホルダ３がガイド部２１内で前方位置Ｐ１にあるときに、少なくとも一部が、光ファイバホルダ３の蓋体１２の切欠１５に位置するように形成されている。このため、押さえ板部２７は、切欠１５によって露出した部分のベース部１１上に位置し、ベース部１１の上方移動を阻止する。
【００１５】
接続器支持部２２は、光コネクタ５０を支持するものであり、基板１７と、基板１７の上面から立設された一対の保持板１８、１８とからなる。
基板１７は、ガイド部２１の基板２３の前部に、基板２３と同じ面内に、基板２３に一体に形成されている。
保持板１８、１８は、これらの間の嵌合部１９に光コネクタ５０のストップリング５４の後部が嵌合するように形成されている。
【００１６】
図４〜図７を参照して、光コネクタ５０（光ファイバ接続器）について説明する。
図４は、支持台４の接続器支持部２２に装着される光コネクタ５０を示す斜視図、図５は、光コネクタ５０の分解斜視図、図６はクランプ部付きフェルール５７の要部の分解図、図７はクランプ部付きフェルール５７の断面図である。
図４および図５に示すように、光コネクタ５０は、ＳＣ２型（ＳＣ：Single fiber Coupling）の光コネクタであり、先端面が接合端面５１ａとされたフェルール５１と、フェルール５１の後端側に配置されたクランプ部５２と、フェルール５１を収納するスリーブ状のプラグフレーム５３と、プラグフレーム５３の後端に取付けられクランプ部５２を収容するストップリング５４と、ストップリング５４内に内装されたスプリング５５とを備えている。
符号５４ａ、５４ｂは、介挿部材ユニット６０の介挿部材６１を差し込む差込口を示す。符号５６は、光ファイバ２の接続が完了した後にストップリング５４の後端に装着されるブーツである。
【００１７】
図６および図７に示すように、フェルール５１には、中心軸方向に沿って光ファイバ挿入孔５１ｄが形成され、光ファイバ挿入孔５１ｄには光ファイバ５８が内挿固定されている。光ファイバ５８は例えば光ファイバ裸線である。以下、光ファイバ５８をフェルール側光ファイバ５８ということがある。
クランプ部５２は、フェルール５１のフランジ部５１ｂから延びるベース側素子５２ａと蓋側素子５２ｂとを、断面Ｃ型のスリーブ状のバネ５２ｃに収容した構造になっている。
ベース側素子５２ａと蓋側素子５２ｂは、クランプ部５２を構成する２つ割りの素子の一方および他方を構成する。
【００１８】
クランプ部５２は、ベース側素子５２ａと蓋側素子５２ｂとの間でバネ５２ｃの弾性力により光ファイバ５をクランプする構造になっている。蓋側素子５２ｂは、第１蓋部５２ｄと、その後端側に配置された第２蓋部５２ｅとからなる。
光ファイバ５８は、フェルール５１後端から突出し、クランプ部５２の素子５２ａ、５２ｂ間に挿入され、ベース側素子５２ａに形成された調心溝５２ｆにより精密に位置決めされている。
ベース側素子５２ａと、蓋側素子５２ｂの第２蓋部５２ｅには、光ファイバ２を調心溝５２ｆに導くガイド溝５２ｇ、５２ｈが形成されている。
【００１９】
次に、光コネクタ５０に用いられる介挿部材ユニット６０について説明する。
図８に示すように、介挿部材ユニット６０は、光コネクタ５０の素子５２ａ、５２ｂ間を押し広げて、光ファイバ２を挿入するためのものである。
介挿部材ユニット６０は、光コネクタ５０を保持するコネクタホルダ部６２と、光コネクタ５０のクランプ部５２の素子５２ａ、５２ｂ間に介挿される介挿部材６１と、介挿部材６１を進退させるリング状の介挿部材駆動部６３とを備えている。
図９および図１０に示すように、介挿部材６１は、介挿部材駆動部６３の操作によって、光コネクタ５０に接近および離間する方向に移動でき、これによって先端部６１ａをクランプ部５２の素子５２ａ、５２ｂ間に挿入および引き抜きできる。
【００２０】
次に、光ファイバ２先端を加工する光ファイバ先端加工機について説明する。
図１１は、光ファイバ先端加工機の一例である被覆除去機（ストリッパ）を示す側面図である。
この被覆除去機７０は、光ファイバ２の被覆２ｂを除去するものであって、被覆２ｂを切断する被覆用カッタ７１と、光ファイバホルダ移動台７２とを備えている。
光ファイバホルダ移動台７２は、設置台本体７３と、設置台本体７３の前端に設けられて、支持台４前端が当接する突出部７４を備え、光ファイバホルダ９０を保持した保持部９３を、被覆用カッタ７１に対し接近および離間する方向にスライド移動可能となるように支持できる（図１５（ｂ）を参照）。
【００２１】
この被覆除去機７０と、光ファイバ挿入治具１を用いて、光ファイバ２の先端部の被覆２ｂを除去する方法を説明する。
光ファイバ２を保持した光ファイバホルダ３をガイド部２１内に入れた光ファイバ挿入治具１を、被覆除去機７０の光ファイバホルダ移動台７２に載せ、支持台４の前端を突出部７４に当接させて位置決めする。光ファイバホルダ３は、前端壁２５に当接する位置（前方位置Ｐ１）にセットする。
光ファイバ挿入治具１の前端から前方に延出した光ファイバ２の先端部の被覆２ｂを被覆用カッタ７１で保持し、光ファイバホルダ３を後方にスライド移動させる。すなわち、光ファイバホルダ３をガイド部２１内で前方位置Ｐ１から後方位置Ｐ２に向けて移動させる。これによって、この先端部の被覆２ｂを除去し、裸ファイバ２ａを露出させることができる。
【００２２】
図１２は、光ファイバ先端加工機の他の例である光ファイバ切断機を示す側面図である。
光ファイバ切断機８０は、裸ファイバ２ａを切断する切断部８１と、光ファイバホルダ移動台８２とを備えている。
切断部８１は、例えば円板状の切断用カッタ８５と、光ファイバ２を切断用カッタ８５に押し当てる押し当て部８６とを有する。
光ファイバホルダ移動台８２は、設置台本体８３と、設置台本体８３の前端に設けられて、支持台４前端が当接する突出部８４を備え、光ファイバホルダ９０を保持した保持部９３を、切断部８１に対し接近および離間する方向にスライド移動可能となるように支持できる（図１５（ｃ）を参照）。
【００２３】
光ファイバ切断機８０を用いて、裸ファイバ２ａを切断し、光コネクタ５０への接続に適した長さにする方法を説明する。
光ファイバ挿入治具１を光ファイバ切断機８０の光ファイバホルダ移動台８２に載せ、支持台４の前端を突出部８４に当接させて位置決めする。光ファイバホルダ３は前方位置Ｐ１にセットするのが好ましい。
光ファイバ２の裸ファイバ２ａを、押し当て部８６によって切断用カッタ８５に押し当てることによって切断する。これによって、光コネクタ５０での接続に適した長さの裸ファイバ２ａを先端部に露出させた光ファイバ２が得られる。
【００２４】
次に、光コネクタ５０に内蔵されたフェルール側光ファイバ５８に、光ファイバ２を接続する方法について説明する。
図１３（ａ）に示すように、光コネクタ５０のストップリング５４の後部を、接続器支持部２２の嵌合部１９に嵌合させ、光コネクタ５０を位置決めする。この状態では、光ファイバ２の先端は光コネクタ５０から後方に離間している。
図９に示すように、光コネクタ５０は、介挿部材ユニット６０の介挿部材６１の先端部６１ａがクランプ部５２の素子５２ａ、５２ｂ間に挿入され、素子５２ａ、５２ｂ間が押し広げられた状態となっている。
【００２５】
図１３（ｂ）に示すように、ガイド部２１内で光ファイバホルダ３を前進させると、光ファイバ２の先端の裸ファイバ２ａはストップリング５４内に入り、クランプ部５２の素子５２ａ、５２ｂ間に挿入される。
光ファイバホルダ３が前端壁２５に当接する位置（前方位置Ｐ１）に至ると、裸ファイバ２ａは、調心溝５２ｆに挿入され、フェルール側光ファイバ５８と突き合わせ接続される（図６および図７参照）。この際、光ファイバ２には適度なたわみが生じ、裸ファイバ２ａは適切な突き合わせ力で光ファイバ５８に突き合わされる。
図７に示す符号５９は、光ファイバ２（裸ファイバ２ａ）の先端と光ファイバ５８の接続点である。
【００２６】
図１０に示すように、光ファイバ２の先端（裸光ファイバ２ａ）とフェルール側光ファイバ５８との突き合わせ状態を保ちながら、素子５２ａ、５２ｂの間から介挿部材６１の先端部６１ａを引き抜くと、素子５２ａ、５２ｂは、バネ５２ｃの弾性によって閉じられる。
これによって、素子５２ａ、５２ｂ間において、フェルール側光ファイバ５８と光ファイバ２とがクランプ固定され、光ファイバ２先端の裸光ファイバ２ａとフェルール側光ファイバ５８との突き合わせ状態が維持される。また、光ファイバ２の被覆２ｂはガイド溝５２ｇ、５２ｈ内にクランプ固定される。
【００２７】
光ファイバ挿入治具１では、光ファイバ２を保持する光ファイバホルダ３と、光ファイバホルダ３を支持する支持台４とを備えており、この支持台４が、被覆除去機７０および光ファイバ切断機８０の光ファイバホルダ移動台７２、８２に設置可能に構成されているので、光ファイバホルダ３を支持台４のガイド部２１内に入れたままの状態で、光ファイバの先端加工（被覆除去、長さ調整）および光コネクタ５０での突き合わせ接続が可能となる。
従って、被覆除去から突き合わせ接続に至る過程で光ファイバホルダの移し替えが必要な光ファイバ挿入治具に比べ、操作が容易となる。
また、被覆除去から突き合わせ接続までの各操作を、いずれも光ファイバホルダ３のガイド部２１内でのスライド移動によって実現できるため、各操作における光ファイバホルダ３の位置決めを正確に行うことができる。
従って、各操作において精度の高い作業が可能となり、光ファイバの突き合わせ接続において、適切な突き当て力が得られ、損失の少ない接続が実現できる。
【図面の簡単な説明】
【００２８】
【図１】本発明の光ファイバ挿入治具の一例を示す斜視図であって、光ファイバホルダを支持台から取り外した状態を示す。
【図２】図１に示す光ファイバ挿入治具の光ファイバホルダを示す斜視図である。
【図３】図１に示す光ファイバ挿入治具を示す斜視図であって、光ファイバホルダを支持台に装着した状態を示す。
【図４】図１に示す光ファイバ挿入治具の支持台４接続器支持部に装着される光コネクタを示す斜視図である。
【図５】光コネクタの分解斜視図である。
【図６】図５に示す光コネクタのクランプ部付きフェルールの要部の分解図である。
【図７】図５に示す光コネクタのクランプ部付きフェルールの縦断面図である。
【図８】図５に示す光コネクタに用いられる介挿部材ユニットを示す図であり、（ａ）は正面図、（ｂ）は側面図である。
【図９】図５に示す光コネクタのクランプ部付きフェルールの横断面図である。
【図１０】図５に示す光コネクタのクランプ部付きフェルールの横断面図である。
【図１１】図１に示す光ファイバ挿入治具を用いて光ファイバの被覆を除去する操作を説明する説明図である。
【図１２】図１に示す光ファイバ挿入治具を用いて光ファイバを切断する操作を説明する説明図である。
【図１３】図１に示す光ファイバ挿入治具を用いて光ファイバを突き合わせ接続する操作を説明する説明図である。
【図１４】従来の光ファイバ挿入治具を用いて光ファイバを突き合わせ接続する操作を説明する説明図である。
【図１５】従来の光ファイバの被覆除去および切断の操作を説明する図であり、（ａ）は光ファイバホルダによる光ファイバの保持操作、（ｂ）は光ファイバの被覆除去操作、（ｃ）は光ファイバの切断操作を説明する説明図である。
【符号の説明】
【００２９】
１・・・光ファイバ挿入治具、２・・・光ファイバ、２ａ・・・裸ファイバ、２ｂ・・・被覆、３・・・光ファイバホルダ、４・・・支持台、２１・・・ガイド部、２４・・・側壁、２５・・・前端壁（当接壁）、２７・・・押さえ板部、２８・・・位置表示突起、５０・・・光コネクタ（光ファイバ接続器）、５２ａ、５２ｂ・・・素子、５８・・・フェルール側光ファイバ、７０・・・被覆除去機（光ファイバ先端加工機）、７１・・・被覆用カッタ、７２、８２・・・光ファイバホルダ移動台、８０・・・光ファイバ切断機（光ファイバ先端加工機）、８１・・・切断部、Ｐ１・・・前方位置（接近位置）、Ｐ２・・・後方位置（離間位置）。
【図１】
0004820782.tif 000002
【図２】
0004820782.tif 000003
【図３】
0004820782.tif 000004
【図４】
0004820782.tif 000005
【図５】
0004820782.tif 000006
【図６】
0004820782.tif 000007
【図７】
0004820782.tif 000008
【図８】
0004820782.tif 000009
【図９】
0004820782.tif 000010
【図１０】
0004820782.tif 000011
【図１１】
0004820782.tif 000012
【図１２】
0004820782.tif 000013
【図１３】
0004820782.tif 000014
【図１４】
0004820782.tif 000015
【図１５】
0004820782.tif 000016